(57)【要約】      （修正有）【課題】長靴内の靴底側やズボン内の股間部付近などに外気を確実に供給でき、且つ使用者の不快感などを抑制できる外気送風装置を提供する。【解決手段】長靴の脚入れ口、あるいは、ズボンのベルトに、着脱可能に取り付けられる送付機本体２と、該送付機本体２の下辺に着脱自在に接続され且つ先端が靴底側、股間側、または臀部側に開口する送風管３０と、を備え、送風機本体２は、長靴の脚入れ口の上側、または、ズボンのベルトに取り付けられ、脚または腰周りに沿って扁平な容器本体３と、該容器本体３の外側面５に開口した外気導入部６と、該容器本体３の内側に配設されたファンとを有し、送風管３０は、柔軟性を有する素材からなり、脚または腰周りに沿って扁平な中空部３２を全長に沿って有し、該中空部３２は少なくとも１つの仕切り壁３３により全長が複数に分割されている。【選択図】図１
0003215448.tif 000002
【実用新案登録請求の範囲】
【請求項１】
長靴(３５)または半長靴と脚との間から靴底(３７)側に外気を送風するか、あるいは、ズボン(４０)と腰回りとの間から股間側または臀部側に外気を送風する外気送風装置(１)であって、
上記長靴(３５)または半長靴の脚入れ口(３６)、あるいは、上記ズボン(４０)のベルト(４２)または上裾(４１)側に、着脱可能に取り付けられる送付機本体(２)と、該送付機本体(２)の下辺に着脱自在に接続され且つ先端が上記靴底(３７)側、股間側、または臀部側に開口する送風管(３０)と、を備え、
上記送風機本体(２)は、上記長靴(３５)または半長靴の脚入れ口(３６)の上側、あるいは、上記ズボン(４０)のベルト(４２)または上裾(４１)側に取り付けられ、上記脚または腰周りに沿って扁平な本体容器(３)と、該本体容器(３)の外側面(５)に開口した外気導入部(６)と、当該本体容器(３)の内側に配設されたファン(２６)およびモーター(２５)と、を有しており、
上記送風管(３０，３０ａ〜３０ｄ)は、柔軟性を有する素材からなり、上記脚または腰周りに沿って扁平な中空部(３２)を全長に沿って有し、該中空部(３２)は少なくとも１つの仕切り壁(３３)により全長が複数に分割されている、
ことを特徴とする外気送風装置(１)。
【請求項２】
前記送風管(３０，３０ａ〜３０ｄ)は、断面の外形が長方形状、扁平な長円形状、または楕円形状を呈し、これらの内側に少なくとも１つの前記仕切り壁(３３)を有している、
ことを特徴とする請求項１に記載の外気送風装置(１)。
【請求項３】
前記送風機本体(２)の下辺には、前記送風管(３０)と断面の外形が相似形状の送気筒(８)が下向きに突設され、該送気筒(８)には、前記仕切り壁(３３)の上端部を挿入可能とする少なくも一対の凹部(１０)が形成されている、
ことを特徴とする請求項１または２に記載の外気送風装置(１)。
【請求項４】
前記送気筒(８)の外側面には、前記送風管(３０)の上端部を被着して接続した際に、該送風管(３０)における中空部(３２)の内側面に密着する複数の抜け止め凸条(９)が突設されている、
ことを特徴とする請求項３に記載の外気送風装置(１)。
【請求項５】
前記外気導入部(６)は、前記送風機本体(２)の外側面(５)において下向きに開口し、且つ該外気導入部(６)の側面は、庇形状のカバー(７)に覆われている、
ことを特徴とする請求項１乃至４の何れか一項に記載の外気送風装置(１)。
【請求項６】
前記送風機本体(２)の外側面(５)および下辺を除いた部位には、前記ファン(２６)を駆動するモーター(２５)と電気的に接続された凹型接続端子(１９)が配置されている、
ことを特徴とする請求項１乃至５の何れか一項に記載の外気送風装置(１)。
【考案の詳細な説明】
【技術分野】
【０００１】
本考案は、例えば、長靴と脚との間から靴底側に外気を送風するためなどの外気送風装置に関する。
【背景技術】
【０００２】
例えば、食品加工場やトンネル工事現場など高湿度で且つ水滴が付着し易い作業環境では、長時間に亘り長靴を履いて作業することが多い。係る作業中には、長靴の内部が蒸れたり、湿潤になるなど作業者の脚周りが不快となる。かかる不快感を解消するため、長靴の上端に開口部に多翼式遠心送風機を取り付け、該送風機から長靴内部の踵側を経てつま先側に延びた吸送気管を介して、つま先側に配置した複数の吸送気口を有する平らな換気装置に外気を送風するようにした身体装着具に備えられる換気装置が提案されている（例えば、特許文献１参照）。
しかし、前記換気装置では、細径の吸送気管を側面視でＬ字形状にして、長靴の内側に配置するべく、前記送風機から圧送される外気を、つま先側の換気装置に送るために必要な風圧が不足するので、実効性に乏しい、という問題がある。
【０００３】
一方、例えば、夏季などの屋外における作業者のスボンの内側、特に両足の付け根付近である股間部や臀部では、空気の入れ換えがないため、高温および高湿度になり易く、活発な発汗作用による不快感を招くと共に、脚部の血流が低下することで疲労が増大し易くなる。前記不快感を抑制し、且つ着用者の下半身を冷却するため、例えば、腰の両側における服地部と下着との間に設けた２台のファンと、該ファンごとに電力を供給するための電源部と、を含む空調ズボンが提案されている（例えば、特許文献２参照）。
しかし、前記空調ズボンでは、予め前記２台のファンを腰周りの両側に縫い付けた専用のズボンが必要となり、且つ前述した股間部や臀部のように局部的に外気を供給しにくいため、蒸れに伴う不快感を解消し難い、という問題点があった。
【先行技術文献】
【特許文献】
【０００４】
【特許文献１】特開平１１−２２９２２５号公報（第１〜７頁、図１〜３）
【特許文献２】特開２００７−１６３３５号公報（第１〜８頁、図１〜４）
【考案の概要】
【考案が解決しようとする課題】
【０００５】
本考案は、背景技術で説明した問題点を解決し、例えば、長靴内の靴底側やズボン内の股間部付近などに外気を確実に供給でき、且つ使用者の不快感などを確実に抑制できる外気送風装置を提供する、ことを課題とする。
【課題を解決するための手段および考案の効果】
【０００６】
本考案は、前記課題を解決するため、長靴の脚入れ口やズボンのベルトなどに取り付けた送風機本体から、長靴内部の靴底側あるいはズボン内の股間部付近に対し、柔軟性を有する樹脂などからなり、仕切り壁により扁平な複数の中空部を併有する送風管を延在させる、ことに着想して成されたものである。
即ち、本考案の外気送風装置（請求項１）は、長靴または半長靴と脚との間から靴底側に外気を送風するか、あるいは、ズボンと腰回りとの間から股間側または臀部側に外気を送風する外気送風装置であって、上記長靴または半長靴の脚入れ口、あるいは、上記ズボンのベルトまたは上裾側に、着脱可能に取り付けられる送付機本体と、該送付機本体の下辺に着脱自在に接続され且つ先端が上記靴底側、股間側、または臀部側に開口する送風管と、を備え、上記送風機本体は、上記長靴または半長靴の脚入れ口の上側、あるいは、上記ズボンのベルトまたは上裾側に取り付けられ、上記脚または腰周りに沿って扁平な本体容器と、該本体容器の外側面に開口した外気導入部と、当該容器本体の内側に配設されたファンおよびモーターと、を有しており、上記送風管は、柔軟性を有する素材からなり、上記脚または腰周りに沿って扁平な中空部を全長に沿って有し、該中空部は少なくとも１つの仕切り壁により全長が複数に分割されている、ことを特徴とする。
【０００７】
前記外気送風装置によれば、以下の効果（１），（２）を得ることができる。
（１）外部から前記送風機本体の内側に取り込まれた外気は、前記送風管における複数の中空部を介して、長靴などの靴底側またはズボン内の股間部付近に確実に送風されるので、使用者の不快感や血流不良に伴う疲労の増大を抑制できる。
（２）上記効果（１）に伴い、食品工場やトンネル工事現場などにおける高温多湿な作業環境による作業能率の低下を抑制し、労働安全性を高めることができる。
【０００８】
尚、前記長靴や半長靴は、ブーツを含むものとする。
また、前記送風機本体は、樹脂の射出成形体からなり、側面視が矩形（正方形あるいは長方形）状で且つ全体が薄い箱形状を呈する本体容器と、その内側に配設したファンおよびモーターなどを有している。
更に、前記送風機本体の下辺における前記送気筒を除いた位置には、前記長靴の脚入れ口またはズボンの裾やベルトに対し、当該送風機本体を縦向きの姿勢で取り付けるためのクリップが配置されている。
また、前記本体容器は、例えば、互いに嵌め合う内外一対の容器からなる。
更に、前記柔軟性を有する送風管の素材は、例えば、塩化ビニール系の樹脂や、合成ゴムなどからなる。
加えて、前記ファンは、シロッコファンあるいは軸流ファンであるが、風圧および風量を大きくでき且つ薄く収納できる点から、シロッコファンが推奨される。
【０００９】
また、本考案には、前記送風管は、断面の外形が長方形状、扁平な長円形状、または楕円形状を呈し、これらの内側に少なくとも１つの前記仕切り壁を有している、外気送風装置（請求項２）も含まれる。
これによれば、前記送風機本体から吹き出された外気を、前記仕切り壁により全長に沿って潰れにくい送風管を通らせ、且つ圧力損失を生じにくくして長靴などの靴底側や、ズボン内の股間部または臀部などの離れた所に送風できる。従って、前記効果（１）をより確実に得ることができる。
【００１０】
更に、本考案には、前記送風機本体の下辺には、前記送風管と断面が相似形状の送気筒が下向きに突設され、該送気筒には、前記仕切り壁の上端部を挿入可能とする少なくも一対の凹部が形成されている、外気送風装置（請求項３）も含まれる。
これによれば、前記送風管の一端（上端）側を押し広げて、前記送気筒の外側を囲むように密着させた際に、該送風管の仕切り壁の一端（上端）部側が前記一対の凹部内に進入するので、上記送気筒と当該送風管との接続部からの漏れ出し風を確実に防止できる。従って、前記効果（１）を一層確実に得ることができる。
【００１１】
また、本考案には、前記送気筒の外側面には、前記送風管の上端部を被着して接続した際に、該送風管における中空部の内側面に密着する複数の抜け止め凸条が突設されている、外気送風装置（請求項４）も含まれる。
これによれば、前記送風管の一端側が前記送気筒から不用意に外れにくなるので、前記効果（１）を顕著に得ることができる。
尚、前記抜け止め凸条は、垂直断面において、傾斜した長辺が下側となる三角形、あるいは、水平面を上側とした直角三角形を呈する形態が例示される。
【００１２】
更に、本考案には、前記外気導入部は、前記送風機本体の外側面において下向きに開口し、且つ該外気導入部の側面は、庇形状のカバーに覆われている、外気送風装置（請求項５）も含まれる。
これによれば、更に以下の効果（３）を得ることができる。
（３）前記送風機本体の内側に水滴が不用意に進入する事態を確実に抑制できるので、モーターなどの劣化を防いで長期に亘って安定した送風が可能となる。
【００１３】
加えて、本考案には、前記送風機本体の外側面および下辺を除いた部位には、前記ファンを駆動するモーターと電気的に接続された凹型接続端子が配置されている、外気送風装置（請求項６）も含まれる。
これによれば、次述するようなポケット内に収納した電池から前記送風機本体内に配設したモーターに電力を供給できるので、前記効果（１），（２）を得られることが保証される。
尚、前記凹型接続端子には、例えば、上着などのポケットに収納可能なリチウム電池などを内蔵した電池容器から延びたコードの凸型接続端子が接続される。
【図面の簡単な説明】
【００１４】
【図１】（Ａ）、（Ｂ）は本考案による一形態の外気送風装置を互いに異なる視覚で示す斜視図。
【図２】（Ａ）は前記外気送風装置の送風機本体の外側面に沿った垂直断面図、（Ｂ）は（Ａ）中のＢ−Ｂ線の矢視に沿った垂直断面図、（Ｃ１），（Ｃ２）は上記外気送風装置のクリップの概略とその作用を示す部分側面図。
【図３】（Ａ）、（Ｂ）は上記外気送風装置を長靴に取り付けた状態を示す異なる視覚による垂直断面図。
【図４】（Ａ）、（Ｂ）は上記外気送風装置をズボンの上裾に取り付けた状態を示す異なる使用形態を示す概略図。
【図５】（Ａ）〜（Ｄ）は上記外気送風装置に用いる送風管の異なる形態わ示す断面図。
【考案を実施するための形態】
【００１５】
以下において、本考案を実施するための形態について説明する。
図１（Ａ）、（Ｂ）は、本考案による一形態の外気送風装置１を互いに異なる視覚で示す斜視図である。尚、以下においては、使用者の脚や腰周りに近い方を内側と称し、これと反対側を外側と称するものとする。
上記外気送風装置１は、図１（Ａ）、（Ｂ）に示すように、全体が薄い箱形状を呈する送風機本体２と、該送風機本体２の下辺の左側から下向きに突設された送気筒８に、上端（一端）部側が接続される縦長の送風管３０と、を備えている。
上記送風機本体２は、本体容器３と、上記送気筒８と、外側面５に開口する外気導入口６と、該導入口６の外側を湾曲して庇形状に覆うカバー７と、該本体２の下辺の右側に位置するクリップ１１と、凹型接続端子１９と、を備えている。
【００１６】
前記本体容器３は、互いに嵌め合い且つネジ結合され内容器４ａと外容器４ｂとからなり、前記外側面５、外気導入口６、カバー７、送気筒８、クリップ１１の主要部、および、凹型接続端子１９は、全て外容器４ｂに形成されている。尚、上記内容器４ａと外容器４ｂは、何れも合成樹脂の射出成形材からなる。
また、前記送気筒８は、外容器４ｂの下辺から垂下した直方体形状で、その外側面には、断面が三角形状で水平方向に沿った抜け止め凸条９が上下に３段（複数）平行に突設されている。該送気筒８の長辺方向の中間には、次述する送風管３０の仕切り壁３３を挿入可能とする一対の凹部１０が垂直に形成されている。
【００１７】
更に、前記送風管３０は、例えば、柔軟性を有する塩化ビニール系の樹脂からなり、図１（Ａ）、（Ｂ）に示すように、断面の外形が細長い長方形状を呈し、且つ縦方向に沿って長尺な管本体３１と、その内側に位置し且つ全長に沿って一つの仕切り壁３３により二等分に分割された２つの中空部３２と、を有している。
尚、前記送気筒８の外形と送風管３０の外形とは、相似形状であり、該送風管３０の弾性変形により、その上端部が送気筒８の外側面に密着可能となっている。
【００１８】
加えて、前記クリップ１１は、外容器４ｂの外側面５から外側に水平に突設された箱形の支持部１２と、前記内容器４ａの底面から垂設された角形片１３と、該角形片１３の外側に隣接し且つ上記支持部１２から垂下した内挟板１４と、該内挟板１４の上部に回転可能に支持された外挟板１５と、該外挟板１５の外側に隣接し且つ前記同様に回転可能な梃子式の押さえ板１６、を備えている。
上記内挟板１４と外挟板１５とが対向し合う内側面ごとには、後述するように、上下方向で互いにずれており、且つ左右方向で二組で且つ上下方向に沿って二列にして配列した複数の爪片１８が突設されている。
尚、図１（Ａ）、（Ｂ）に示すように、上記クリップ１１は、送風機本体２において、前記送気筒８よりも、全体に外側の位置に設けられている。これによって、後述する長靴３５の脚入れ口３６、あるいはズボン４０のベルト４２を、クリップ１１が挟んで送風機本体２を支持した際に、上記送気筒８を長靴３５やズボン４０の上裾の内側に容易に配置することができる。
【００１９】
図２（Ａ）は、送風機本体２の外側面５に沿った垂直断面図、図２（Ｂ）は、図２（Ａ）中のＢ−Ｂ線の矢視に沿った垂直断面図である。
図２（Ａ），（Ｂ）に示すように、前記送風機本体２の本体容器３の内側には、送風機ユニット２０がネジ止めされている。該送風機ユニット２０は、円盤形状の容器２１に納められている。該容器２１は、その外側壁２２に開設されたリング形状の吸気口２３と、前記容器２１の下辺から接線方向に垂下し且つ前記送気筒８に連通する送気口２４とを有している。上記容器２１の内側壁には、モーター２５が配置され、該モーター２５の外側に水平に延びた回転軸（図示せず）に、シロツコファン（ファン）２６が垂直方向に沿って回転可能に固定されている。
【００２０】
一方、前記モーター２５は、前記凹型接続端子１９と電気的に接続されている。
従って、上記モーター２５を駆動すると、前記シロッコファン２６は、図２（Ａ）で反時計方向に沿って回転する。その結果、図２（Ｂ）中の一点鎖線で示すように、前記外気導入口６から吸気口２３を経て、上記シロッコファン２６側に吸引された外気は、図２（Ａ）、（Ｂ）中の実線の矢印で示すように、送気口２４および送気筒８から下向きに圧送され、前記送風管３０の各中空部３２内に圧送される。
【００２１】
更に、図２（Ｃ１）に示すように、前記クリップ１１において、予め、外向き姿勢とした押さえ板１６を、同図中の湾曲した矢印に沿って内側に押し込む。
すると、上記押さえ板１６の内側面の上部に内向きに突設された図示しない凸部によって、外挟片１５が内側に押される。その結果、図２（Ｃ２）に示すように、該外挟片１５が内挟片１４側に接近するので、両者の内側面ごとに個別に突設された複数の爪片１８同士も互いに接近する。
従って、次述するように、例えば、長靴３５の脚入れ口３６を、上記クリップ１１の内挟片１４と外挟片１５とによって挟持することにより、前記送風機本体２を長靴３５の上側に垂直姿勢で安定して支持することが可能となる。
【００２２】
図３（Ａ）、（Ｂ）は、前記送風機本体２の送気筒８に、前記送風管３０の上端部を接続し、該送風管３０を長靴３５の内側に挿入し、上記送風機本体２を前記クリップ１１を用いて脚入れ口３６の上側に直立するように支持した状態を示す側面視と正面視とによる垂直断面図である。この際、前記送風管３０の仕切り壁３３の上端部は、前記送気筒８の凹部１０内に挿入され、該送風管３０は、使用者の脚と長靴３５の内側面との狭い隙間を貫通している。
図示の状態で、前記凹型接続端子１９に、凸型接続端子２８を両端に有するコード２７を介して、図示しないリチウム電池を内蔵した電池容器２９を接続する。
尚、電池容器２９は、後述するように使用者の上着のポケットに入れておく。
【００２３】
その結果、前記外気導入口６から送風機本体２内に吸引された外気は、高速回転する前記シロッコファン２６による加圧により、図３（Ａ）、（Ｂ）中の一点鎖線の矢印で示すように、前記送気筒８から送風管３０の各中空部３２内に圧送された後、前記長靴３５内における踵側（靴底側）３７に供給され、更に、その一部は、つま先側３８にも送られる。
この際、前記シロッコファン２６を用いることによって、前記外気を、その圧力損失を少なくして、靴底側３７やつま先側３８に連続して送ることができる。
従って、前記長靴３５を履いた使用者（作業員）は、高湿度の環境下でも、脚周りの不快感を最小限に抑制できるため、所要の作業を能率良く快適に行える。
尚、前記送風管３０の外側面に、予め粘着テープを貼り付けておき、該テープにより、長靴３５の内側面に垂直状の姿勢に保って送風管３０を接着しても良い。
【００２４】
図４（Ａ）は、ズボン４０におけるベルト４２の前側に、前記クリップ１１によって送風機本体２を取り付け、該ズボン４０の上裾４１の内側において、前記送気筒８に上端部側が接続された送風管３０の下端側を、使用者の股間付近に配置した状態を示す概略図である。この際、前記電池容器２９は、上着４３のポケット４４内に収納し、コード２７を介して送風機本体２と接続されている。
一方、図４（Ｂ）は、ズボン４０のベルト４２の後側に、前記クリップ１１により送風機本体２を立設し、該ズボン４０の上裾４１の内側に、前記送気筒８に上端部側が接続された送風管３０の下端側を、使用者の臀部付近に配置した状態を示す概略図である。この際にも、前記電池容器２９は、前記同様とされている。
尚、図４（Ａ），（Ｂ）において、前記送風管３０は、縦方向に沿って湾曲しているが、直線状であっても良い。
【００２５】
図４（Ａ），（Ｂ）に示す状態で、前記モーター２５によりシロツコファン２６を高速回転させると、同図中の矢印で示すように、前記送気筒８および送風管３０を圧送された外気は、使用者の股間付近、あるいは臀部付近に送られる。
その結果、夏季などにおいて、蒸れ易い股間付近や臀部付近に外気が連続して供給されるため、使用者の不快感をなくすか、あるいは抑制することができ、場合により血流障害（血行不良）を抑制あるいは予防することも可能となる。
尚、前記送風機本体２は、前記クリップ１１を介してズボン４０の前側あるいは後側の上裾４１に直に取り付けることも可能である。
以上のような外気送風装置１によれば、前記効果（１）〜（３）を確実に奏することが、容易に理解される。
【００２６】
図５（Ａ）は、前記送風管３０の応用形態である送風管３０ａの断面図である。
この送風管３０ａは、図示のように、断面が長方形状である管本体３１ａの内側に二つの仕切り壁３３を全長に沿って設けたものである。かかる送風管３０ａを用いる場合、前記送気筒８には、二つ（二対）の凹部１０が設けられる。
上記送風管３０ａを用いた場合、例えば、前記長靴３５の内側やズボン４０の内側において、各中空部３２を一層押し潰されにくくして用いることが可能となる。
【００２７】
図５（Ｂ）は、異なる形態の送風管３０ｂを示す断面図、図５（Ｃ）は、その応用形態である送風管３０ｃを示す断面図である。
上記送風管３０ｂは、図５（Ｂ）に示すように、断面が長円形の管本体３１ｂの内側に一つの仕切り壁３３を全長に沿って設けたものである。この送風管３０ｂを用いる場合、前記送気筒８の外形も、相似形状の長円形とされる。
一方、前記送風管３０ｃは、図５（Ｃ）に示すように、断面が扁平な長円形の管本体３１ｃの内側に二つの仕切り壁３３を全長に沿って設けたものである。この送風管３０ｃを用いる場合、前記送気筒８の外形も、相似形状の長円形とされ、且つ前記凹部１０が二つ（二対）設けられる。
【００２８】
図５（Ｄ）は、更に異なる形態の送風管３０ｄを示す断面図である。
上記送風管３０ｄは、図５（Ｄ）に示すように、断面が楕円形状の管本体３１ｄの内側に１つの仕切り壁３３を全長に沿って設けたものである。この送風管３０ｄを用いる場合、前記送気筒８の外形も、相似形状の楕円形状とされる。
尚、上記管本体３１ｄを更に横長の楕円形状とし、その内側に２つ以上の仕切り壁３３を全長に沿って設けた形態としても良い。
【００２９】
本考案は、以上において説明した形態に限定されるものではない。
例えば、前記送風機本体２の外郭を構成する本体容器３は、側面視で下辺側に前記送気筒８やクリップ１１が配置されていれば、側面視が半円形状、あるいは、下辺が水平な直線部を有する円弧形状を呈する形態としても良い。
また、前記外気導入口６およびその外側を覆う前記カバー７は、側面視が前記曲線形状の形態に限らず、側面視で逆台形、半長円形、半楕円形状としても良い。
更に、前記シロッコファン２６に替えて、圧力損失を少なくし得る場合には、軸流ファンを用いることも可能である。
【００３０】
また、前記クリップ１１は、前記送風機本体２の下辺において、前記送気筒８を挟んだ両側に二個を併設した形態としても良い。あるいは、前記クリップ１１を、前記内挟片１４と外挟片１５とだけによって構成される形態としても良い。
更に、前記凹型接続端子１９は、送風機本体２の本体容器３の上面側に配置しても良い。
加えて、本考案の外気送風装置１は、前記長靴３５に限らず、製造業などで用いる半長靴（ブーツを含む）や、各種の作業用シューズなどにも適用できる。
【産業上の利用可能性】
【００３１】
本考案によれば、長靴内の靴底側やズボン内の股間部付近などに外気を確実に供給でき、使用者の不快感などを抑制できる外気送風装置を確実に提供できる。
【符号の説明】
【００３２】
１…………………………外気送風装置
２…………………………送風機本体
３…………………………本体容器
５…………………………外側面
６…………………………外気導入口
７…………………………カバー
８…………………………送気筒
９…………………………抜け止め凸条
１０………………………凹部
１１………………………クリップ
１９………………………凹型接続端子
２５………………………モーター
２６………………………シロッコファン（ファン）
３０，３０ａ〜３０ｄ…送風管
３２………………………中空部
３３………………………仕切り壁
３５………………………長靴
３６………………………脚入れ口
３７………………………踵側（靴底側）
４０………………………ズボン
４１………………………上裾
４２………………………ベルト
【図１】
0003215448.tif 000003
【図２】
0003215448.tif 000004
【図３】
0003215448.tif 000005
【図４】
0003215448.tif 000006
【図５】
0003215448.tif 000007